(57)【要約】【課題】住宅用分電盤に配設されて分岐回路に電源の供給を行う分岐開閉器における電源電圧切替操作部の不要な操作を視覚的、物理的に抑制し、思わぬ電気事故や機器の損壊を未然に防止する住宅用分電盤の母線絶縁カバーの構造を提供する。【課題を解決するための手段】単相３線式電路の各極の母線に対して前面側となるキャビネットの開口側を覆い少なくとも母線の前面側の絶縁を保つ母線絶縁カバーに、該母線絶縁カバーを前記キャビネット内部の所定位置に取付けた状態において、いずれか２つの母線に対応した位置に電圧切替手段により電源接続端子を第一の位置と第二の位置との何れかの位置に移動配置させることにより該電源接続端子を母線と選択的に接続させて分岐回路に適した電圧の電源を供給する分岐開閉器に設けられた電源切替手段を操作する操作部と係合して該操作部の操作を抑制する抑制部を設けて構成した。【選択図】図１
2011160648.tif 000002
【特許請求の範囲】
【請求項１】
キャビネットの内部に、
単相３線式電路の第一の電圧極、第二の電圧極及び中性極の各極と接続される主開閉器と、
該主開閉器の二次側に配設される各極の母線と、該各極の母線のうち、いずれか２つの母線に接続される分岐開閉器であって、該いずれか２つの母線に対応した位置に電圧切替手段により電源接続端子を第一の位置と第二の位置との何れかの位置に移動配置させることにより、該電源接続端子を２つの母線と選択的に接続させて分岐回路に適した電圧の電源を供給する分岐開閉器と、
前記母線に対して前面側となるキャビネットの開口側を覆い少なくとも母線の前面側の絶縁を保つ母線絶縁カバーと、を配設してなる住宅用分電盤における母線絶縁カバーの構造であって、
該母線絶縁カバーには、前記キャビネット内部の所定位置に取付けた状態において、前記分岐開閉器に設けられた電源切替手段を操作する操作部と係合して該操作部の操作を抑制する抑制部を設けて構成したことを特徴とする住宅用分電盤の母線絶縁カバー。
【請求項２】
前記母線絶縁カバーには、
前記電源接続端子を第一の位置と第二の位置との何れかの位置に移動配置させる電源切替手段を操作する操作部の移動軌跡を逃げた開口部が形成され、
前記抑制部として、前記開口部における前記操作部の移動軌跡上にリブを設けて前記抑制部を構成したことを特徴とする請求項１記載の住宅用分電盤の母線絶縁カバー構造。
【請求項３】
前記母線絶縁カバーに形成された開口部は、前記分岐回路に供給される電源電圧を測定するための前記分岐開閉器に設けられた電源電圧測定部を逃げて該電源電圧測定部を前記前面側に露出させるよう開口させて構成されたことを特徴とする請求項１又は請求項２記載の住宅用分電盤の母線絶縁カバー構造。
【請求項４】
キャビネットの内部に、
単相３線式電路の第一の電圧極、第二の電圧極及び中性極の各極と接続される主開閉器と、
該主開閉器の二次側に配設される各極の母線と、該各極の母線のうち、いずれか２つの母線に接続される分岐開閉器であって、該いずれか２つの母線に対応した位置に電圧切替手段により電源接続端子を第一の位置と第二の位置との何れかの位置に移動配置させることにより、該電源接続端子を２つの母線と選択的に接続させて分岐回路に適した電圧の電源を供給する分岐開閉器と、
前記母線に対して前面側となるキャビネットの開口側を覆い少なくとも母線の前面側の絶縁を保つ母線絶縁カバーと、を配設してなる住宅用分電盤における母線絶縁カバーの構造であって、
前記分岐開閉器に設けられた電圧切替手段を操作する操作部近傍に設けられて、
前記電源接続端子位置に応じて供給される電圧を表示する分岐開閉器の電圧表示部を前記前面側に露出する第一の開口部と、
前記分岐開閉器に設けられた電源電圧測定部を逃げて該電源電圧測定部を前記前面側に露出させる第二の開口部を夫々設けて構成されたことを特徴とする住宅用分電盤の母線絶縁カバー構造。
【請求項５】
前記第二の開口部は、
分岐開閉器に設けられた前記電源接続端子の第一の位置及び第二の位置に応じて択一されて前面側に露出される第一及び第二の電源電圧測定部の夫々前面側に設けて
構成されたことを特徴とする請求項４記載の住宅用分電盤の母線絶縁カバー構造。
【発明の詳細な説明】
【技術分野】
【０００１】
本発明は、住宅用分電盤に設けられた母線に対して前面側となるキャビネットの開口側を覆うことにより、母線の前面側の絶縁を保つ母線絶縁カバーに関し、特に、前記母線と接続される分岐開閉器が母線に接続された状態において、該分岐開閉器の電源電圧を切替る切替手段の切替操作を抑制する機能を有した住宅用分電盤の母線絶縁カバーの構造に係る。
【背景技術】
【０００２】
住宅用分電盤は、キャビネットの内部に、主開閉器、該主開閉器の二次側に接続される母線、該母線と各々接続される分岐開閉器などの内部機器を組み込んだもので、住宅等における電路の引込口装置として用いられている。適用される電路は、通常、交流５０Ｈｚ又は６０Ｈｚの単相２線式電路（１００Ｖ）、もしくは単相３線式電路（１００／２００Ｖ）が印加される電路である。
【０００３】
近年、住宅内で使用される電気機器として、機器への電源供給のために専用回路を必要とするものが増え、前記分岐開閉器と直接配線して接続する機器が増えている。例えば、２４時間換気システムや、ビルトインタイプの食洗器などが該当する。このような機器に電源を供給する場合、分岐開閉器と機器との配線を行った後で、該分岐開閉器の電路開閉用の操作ハンドルを入りとすることで電源が機器に供給される。機器には、機器本体に電源スイッチが設けられていないものがあり、そのような機器の場合には、電路開閉用の操作ハンドルを入りとすると直ちに電源が印加される。
【０００４】
単相３線式の電路のように、３線の内、選択する２線に応じて電源電圧の大きさが１００Ｖ又は２００Ｖの複数出力される電路に適用される分電盤においては、各分岐回路には、該各分岐回路に接続される機器に適した大きさの電圧が供給される必要がある。そこで、機器に供給する電源電圧を分岐回路に接続される機器に応じて適宜切り替えられるように母線側に電圧切換え構造を持たせた分電盤が公知である。
【０００５】
例えば、特許文献１においては、図１６に示したように、主電路を形成するブスバー（特許文献１の符号１、２、３）と、回路遮断器の端子にねじ締め接続されるブスバーの足部（特許文献１の符号１０１、３０１、６０１等）の間に、切替装置を設けて構成している。この切替装置は、該切替装置を構成する接続バー（特許文献１の符号６）に設けられた長穴（特許文献１の符号６０２）と切替片（特許文献１の符号８）の穴部に共に貫通させた切替ネジ（特許文献１の符号７）の位置を前記長穴の一端もしくは他端に移動させて導通させる導体を選択し回路遮断器の端子に接続される導体を切替えて、回路遮断器に供給する電圧を変更するものである。
【０００６】
特許文献２においては、図１７に示したように、特許文献１と同じく、主電路を形成するブスバー（特許文献２の符号１１、１２、１３）と、回路遮断器のプラグインタイプの端子がプラグイン接続されるブスバーの接続部（特許文献２の符号１３０１、２００１等）の間に、切替装置を設けて構成している。そして切替装置を構成する送り板（特許文献２の符号２０）に設けられた長穴部と筒状導体子（特許文献２の符号１８）に共に貫通させたねじ（特許文献２の符号１７）の位置を前記長穴の一端もしくは他端に移動させて導通させる導体を選択し回路遮断器の端子に接続されるブスバーを切替えて、回路遮断器に供給する電圧を変更するものである。
【０００７】
分岐開閉器に供給する電源電圧を適宜母線側で切替設定し、分岐開閉器と機器との配線接続が完了した後、機器に電源を印加する前には、通常、該機器に適した大きさの電圧が印加されるか否かを確認するために、電圧測定作業を行う。特許文献１に示した分電盤の場合には、分岐開閉器（特許文献１の符号５）に接続される前記ブスバーの足部（特許文献１の符号１０１、６０１）に電圧測定のために電圧測定器に接続されたテストリードを当接させ、該足部間の電圧を測定する。特許文献２に示した分電盤の場合には、分岐開閉器（特許文献２の符号１５）に接続される前記ブスバーの接続部（特許文献２の符号１３０１、２００１）に電圧測定器のテストリードを当接させ、該足部間の電圧を測定する。
【０００８】
電圧を測定した後には、前述のブスバーや切替装置に対して分岐ブレーカの操作ハンドル側を前面側としたときに、該前面側を覆う母線の絶縁カバー（図示しない）を所定位置に取付けて、前面側からの絶縁を確保する。
【先行技術文献】
【特許文献】
【０００９】
【特許文献１】特開平９−２７１１０８号公報
【特許文献２】特開２００２−１３５９１９号公報
【特許文献３】特許第４１４７６６５号
【発明の概要】
【発明が解決しようとする課題】
【００１０】
前述したような、母線側に電圧切替構造を持たせた住宅用分電盤にあっては、該電圧切替構造として用いる、接続バーと送り板、また、これら接続バーと送り板に付随する切替ネジと切替片や筒状導体子などの多くの部材構成部材が前面側に露出している。
【００１１】
電圧切替えのために、前記切替ネジを操作する際には、一旦、母線の絶縁カバーを取り除いた後に切替ネジを緩め、該切替ネジの場所を移動させ、再度ネジを締める必要があり、仮に、誤って主開閉器を切りにしないまま作業を行ってしまうと、電気安全が充分に保たれず、感電などの電気事故が発生してしまう可能性がある。
【００１２】
さて、電圧切替構造を、母線側ではなく分岐開閉器側に持たせたものもある。例えば、特許文献３においては、図１８に示したように、母線を、分岐開閉器の取付面から操作ハンドルの方向に３段に重ねて設け（特許文献３の符号Ｂ１、Ｂ２、Ｂ３）、これら３段に設けられた母線のうち所定の２つの母線にプラグイン端子（特許文献３の符号３）を接続可能なように、予め各々の極においてプラグイン端子の位置の配置を調整しておくことにより、分岐開閉器に供給する電源電圧を適宜選択切替するものである。電圧を切替えるときには、母線から一旦分岐開閉器を取り外すため、仮に、主開閉器を切りにしないまま作業を行うことがあったとしても、取り外した分岐開閉器には電源は供給されていないから、取り外した後にプラグイン端子３の配置を調整するにあたっては感電するおそれは低減する。
【００１３】
しかしながら、分岐開閉器側に電圧切替構造を持たせたものにあっては、次のような課題があった。
【００１４】
前述したような、プラグインタイプの分岐開閉器においては、分岐開閉器に供給される電圧の測定を行う場合、該分岐開閉器の操作ハンドルにより開閉される接点装置よりも負荷側に各極の電圧測定部が設けられているために、遮断器の操作ハンドルを入りにした状態で、電圧の測定を行う必要があった。即ち、分岐開閉器と直接配線して用いられる電気機器に対して、該電気機器に供給する電圧が正しい電圧か否かを配線後に確認する場合には、分岐開閉器の操作ハンドルを入りにした状態で、電圧測定器のテストリードを前記電圧測定部に当接させ、極間の電圧を測定する必要があった。
【００１５】
したがって、仮に、単相３線式の電路において、プラグイン端子を接続する母線を誤って配線していた場合、該分岐開閉器に接続する電気機器の定格電圧が、分岐開閉器から供給される電圧よりも高い場合には、定格電圧に足りず正常運転しないことが想定され、該分岐開閉器に接続する電気機器の定格電圧が、分岐開閉器から供給される電圧よりも低い場合には、過電圧となり電気機器が故障することが想定される。
【００１６】
また、前述の母線などの絶縁カバーを取付けた状態にあっては、分岐開閉器が単相３線式の母線のどの母線に接続されて、電源電圧が１００Ｖ、２００Ｖの何れの電圧が印加される状態であるのかが判り難く、正しい電源電圧が分岐回路に供給される設定であるか否かが判別しづらいという課題があった。
【００１７】
さらに、絶縁カバーを取り外した状態にあっては、特に特許文献１及び２の場合には、母線や導体の一部が前面側に露出することとなり、電圧測定の際に手や衣服、測定装置が誤って充電部に当接してしまうと感電などの電気事故が発生してしまう可能性がある。
【００１８】
そこで、本発明は、上記課題に鑑みてなされたもので、住宅用分電盤において、母線絶縁カバーを取付けたままでも、分岐開閉器に供給される電源電圧がいくらであるのかが視覚的に確認しやすくした住宅用分電盤の母線絶縁カバーの構造を提供することを目的とする。また、分岐開閉器から負荷回路に電源を供給する前に、実際に分岐開閉器に供給される電圧を、電気安全を確保しつつ作業性よく確認することができる住宅用分電盤の母線絶縁カバーの構造を提供することを目的とする。さらに、分岐開閉器に設けられた電圧切替手段の操作部の切替操作を抑制できる住宅用分電盤の母線絶縁カバーの構造を提供することを目的とする。
【課題を解決するための手段】
【００１９】
本発明に係る住宅用分電盤の母線絶縁カバーの構造は、上述の課題を解決すべく構成されたもので、キャビネットの内部に、単相３線式電路の第一の電圧極、第二の電圧極及び中性極の各極と接続される主開閉器と、該主開閉器の二次側に配設される各極の母線と、該各極の母線のうち、いずれか２つの母線に接続される分岐開閉器であって該いずれか２つの母線に対応した位置に電圧切替手段により電源接続端子を第一の位置と第二の位置との何れかの位置に移動配置させることにより、該電源接続端子を２つの母線と選択的に接続させて分岐回路に適した電圧の電源を供給する分岐開閉器と、前記母線に対して前面側となるキャビネットの開口側を覆い少なくとも母線の前面側の絶縁を保つ母線絶縁カバーと、を配設してなる住宅用分電盤における母線絶縁カバーの構造を、該母線絶縁カバーに、前記キャビネット内部の所定位置に取付けた状態において、前記分岐開閉器に設けられた電源切替手段を操作する操作部と係合して該操作部の操作を抑制する抑制部を設けて構成するとよい。
【００２０】
かかる構成によれば、母線絶縁カバーを所定位置に取付けた状態において、分岐開閉器に設けられた電源切替手段を操作する操作部の切替操作が抑制されるから、分岐開閉器を母線に取付ける前に分岐回路に供給する電源電圧に応じて設定した電源接続端子の位置が変更されるおそれがなくなり、電気安全を確保した状態で、供給電圧の確認や、供給電圧の測定を行うことができる。
【００２１】
また、本発明に係る住宅用分電盤の母線絶縁カバーの構造は、前記母線絶縁カバーには、前記電源接続端子を第一の位置と第二の位置との何れかの位置に移動配置させる電源切替手段を操作する操作部の移動軌跡を逃げた開口部を形成して、前記抑制部として、前記開口部における前記操作部の移動軌跡上にリブを設けて前記抑制部を構成してもよい。
【００２２】
かかる構成によれば、母線絶縁カバーを所定位置に取付けた状態において、分岐開閉器に設けられた電源切替手段を操作する操作部の切替操作が前記リブにより物理的に抑制できるとともに、分岐開閉器を母線に取付ける前に分岐回路に供給する電源電圧に応じて設定した電源切替手段の操作部の位置が前面側から視覚的に確認できることにより、電源電圧の確認のしやすさが増し、電気安全を確保した状態で、供給電圧の確認や、供給電圧の測定を行うことができる。
【００２３】
また、本発明に係る住宅用分電盤の母線絶縁カバーの構造は、前記母線絶縁カバーに形成された開口部を、前記分岐回路に供給される電源電圧を逃げて該電源電圧測定部を測定するための前記分岐開閉器に設けられた電源電圧測定部を前記前面側に露出させるよう開口させて構成してもよい。
【００２４】
かかる構成によれば、母線絶縁カバーを所定位置に取付けた状態において、前記開口部が分岐開閉器に設けられた電源電圧測定部を前記前面側に露出させるように開口されているから、分岐開閉器から負荷回路に電源を供給する前に、実際に分岐開閉器に供給される電圧を、前記開口部を通して前期電源電圧測定部にテストリードを差し込んで確認でき、母線絶縁カバーを取付けた状態で電気安全を確保しつつ作業性よく確認することができる。
【００２５】
また、本発明に係る住宅用分電盤の母線絶縁カバーの構造は、前記分岐開閉器に設けられた電圧切替手段を操作する操作部近傍に設けられて、
前記電源接続端子位置に応じて供給される電圧を表示する分岐開閉器の電圧表示部を、
前記前面側に露出する第一の開口部と、
前記分岐開閉器に設けられた電源電圧測定部を逃げて該電源電圧測定部を前記前面側に露出させる第二の開口部を夫々設けて構成してもよい。
【００２６】
かかる構成によれば、分岐開閉器に供給される電源電圧の表示領域と、電源電圧測定部の領域を明示的に区分けすることができ、作業者にとって電圧表示と電圧測定作業で使用する開口部を区別しやすくなり、確認作業と測定作業の誤りを防止できるとともに作業性よく確認することができる
【００２７】
また、本発明に係る住宅用分電盤の母線絶縁カバーの構造は、前記第二の開口部は、
分岐開閉器に設けられた前記電源接続端子の第一の位置及び第二の位置に応じて択一されて前面側に露出される第一及び第二の電源電圧測定部の夫々前面側に対応させて設けて
構成してもよい。
【００２８】
かかる構成によれば、電圧測定の際に用いる第二の開口部を個別に示すことができ、電圧測定作業の誤りが低減できるとともに、より安全に作業性よく電圧測定作業を行うことができる。
【発明の効果】
【００２９】
以上の如く、本発明によれば、住宅用分電盤において、母線絶縁カバーを取付けたままでも、分岐開閉器に供給される電源電圧がいくらであるのかが視覚的に確認でき、また、分岐開閉器から負荷回路に電源を供給する前に、実際に分岐開閉器に供給される電圧を電気安全を確保しつつ作業性よく確認することができる。さらに、分岐開閉器に設けられた電圧切替手段の操作部の切替操作を抑制できる住宅用分電盤の母線絶縁カバーの構造を提供することができる。
【図面の簡単な説明】
【００３０】
【図１】第１の実施形態を示す住宅用分電盤における内器ユニット斜視図を示す。
【図２】同実施形態に係る母線絶縁カバーを取り除いた斜視図を示す。
【図３】同実施形態に係る母線絶縁カバーの斜視図を示す。
【図４】同実施形態に係る分岐線の斜視図を示す。
【図５】同実施形態に係る母線の組立図を示す。
【図６】同実施形態に係る母線の組立図を示す。
【図７】同実施形態に係る母線の組立図を示す。
【図８】同実施形態に係る母線の組立図を示す。
【図９】同実施形態に係る母線の組立図を示す。
【図１０】同実施形態に係る主要部斜視図を示す。
【図１１】同実施形態に係る分岐開閉器の外観斜視図を示す。
【図１２】同実施形態に係る分岐開閉器の端子部の図を示す。
【図１３】同実施形態に係る分岐開閉器の端子部の図を示す。
【図１４】同実施形態に係る分岐開閉器の端子部の分解斜視図を示す。
【図１５】同実施形態に係る分岐開閉器の端子部の透視図を示す。
【図１６】同実施形態に係る分岐開閉器の端子部の移動説明図を示す。
【図１７】第２の実施形態を示す要部斜視図を示す。
【図１８】同実施形態に係る要部正面図を示す。
【図１９】同実施形態に係る分岐開閉器の外観斜視図を示す。
【図２０】同実施形態に係る分岐開閉器の端子部の斜視図を示す。
【図２１】同実施形態に係る住宅用分電盤における分岐開閉器の取付説明図を示す。
【図２２】従来の接続状態を表わした図を示す。
【図２３】従来の接続状態を表わした図を示す。
【図２４】従来の接続状態における複数個所で切替を行った図を示す。
【図２５】第３の実施形態を示す要部斜視図を示す。
【図２６】同実施形態に係る母線絶縁カバーの斜視図を示す。
【図２７】同実施形態に係る要部正面図を示す。
【発明を実施するための形態】
【００３１】
次に本発明の実施形態を図１乃至図１５を用いて詳細に説明する。
【００３２】
（住宅用分電盤の概要説明）
第１の実施形態に係る住宅用分電盤は、単相３線式の商用電路に用いられるものである。該住宅用分電盤は、図１、図２（説明のために図１の状態から母線絶縁カバー７を取り外した図）に示すように、キャビネットの内部に、主開閉器１、該主開閉器１の二次側に図示しない接続部材を介して接続される母線１１、１２、１３、該母線と各々接続される分岐開閉器２、前記キャビネットの開口側を前面側としたときに、前記母線の前面側を覆う母線絶縁カバー７などの内部機器を、取付板３、４に取付けた内部ユニット１００として組み込んだもので、主に住宅等における電路の引込口装置として用いられる。主開閉器の二次側と母線との接続は、各極毎に銅バーを折り曲げ又は打ち抜き形成して構成した接続バーや、両端に端子板を接続した電線等を用いて行われる。
【００３３】
前記母線１１、１２、１３は互いに電位が異なるものであり、便宜的に、第一の電圧極となる母線１１をＬ１、第二の電圧極となる母線１２をＬ２、中性極となる母線１３をＮで表す。これら母線は、略柱状に形成された銅バーからなり、該母線が略平行に並べられて、母線を互いに絶縁する絶縁部材５に配設されたうえで、取付板３に取付けられる。
【００３４】
本住宅用分電盤に設けられる分岐開閉器２には、図１１に示すように電圧切替構造が備えられており、母線１１、１２、１３の内、所定の２つの母線とプラグイン端子により電気的に接続されることにより、負荷回路に電源が供給される（詳しくは後述する）。単相３線式の電路においては、負荷回路に供給され得る電源電圧の大きさは、１００Ｖ又は２００Ｖである。
【００３５】
前記分岐開閉器２のプラグイン端子（図１１における２２Ｂ）を前記母線１１（Ｌ１）、１２（Ｎ）と接続した場合には１００Ｖが供給され、前記母線１１（Ｌ１）、１３（Ｌ２）と接続した場合には２００Ｖが供給される。また、前記分岐開閉器のプラグイン端子（２２Ｂ）を前記母線１３（Ｌ２）、１２（Ｎ）と接続した場合には１００Ｖが供給されるが、電圧位相は、前記母線１１（Ｌ１）、１２（Ｎ）と接続した場合の逆の位相となる。
【００３６】
現在では、負荷回路に供給される電源電圧は、住宅内の照明用回路及びテレビやビデオなどの家電機器に用いる一般的なコンセント用回路としては１００Ｖが多く、容量の大きなエアコンなどに用いる回路には２００Ｖを用いる。このように、負荷回路に接続される電気機器に応じて、分岐開閉器２のプラグイン端子と母線との接続状態を変更することにより、分岐開閉器並びに負荷回路に供給する電源の電圧を適切なものに設定する。
【００３７】
母線の両端部には、該母線と他の導体とを接続するためのねじが貫通される孔が設けられている。そして前記母線の両端間には、母線の長手方向（図２中の左右方向）に沿って、分岐開閉器が並設配置され、また、前記母線１３を境に分岐開閉器の母線との接続部が互いに向き合うように、上下２列に分岐開閉器が配置される。上側の列の分岐開閉器は、母線１１（Ｌ１）と、母線１２（Ｎ）又は母線１３（Ｌ２）と接続され、母線１１（Ｌ１）と母線１２（Ｎ）とに接続されるときは１００Ｖが供給され、母線１１（Ｌ１）と母線１３（Ｌ２）とに接続されるときは２００Ｖが供給される。下側の列の分岐開閉器は、母線１３（Ｌ２）と、母線１２（Ｎ）又は母線１１（Ｌ１）と接続され、母線１３（Ｌ２）と母線１２（Ｎ）とに接続されるときは１００Ｖが供給され、母線１３（Ｌ２）と母線１１（Ｌ１）とに接続されるときは２００Ｖが供給される。
【００３８】
（母線の構造）
次に、母線の構造について図４、図１０を用いて詳細に説明を行う。図４は、内部ユニット１００から一部の分岐開閉器を取り外し、母線を露出させた状態を示している。
【００３９】
母線１１、１２、１３には、母線と分岐開閉器のプラグイン端子との電気的接続部となる分岐線１１０１ａ、１２０１ａ、１３０１ａが、各々の分岐開閉器の並設位置に対応して、前記長手方向に対して垂直な方向に突出して設けられている。分岐線１１０１ａは母線１１（Ｌ１）に対応し、１２０１ａは母線１２（Ｌ２）に対応し、１３０１ａは母線１３（Ｎ）に対応し、これら１１０１ａ、１２０１ａ、１３０１ａが一つの組となって分岐開閉器の回路数だけ設けられている。
【００４０】
前記下側の列の分岐開閉器においては、分岐開閉器を母線に接続するときには、分岐開閉器のプラグイン端子を、分岐線１２０１ａ（Ｌ２）を共通として、１１０１ａ（Ｌ１）又は１３０１ａ（Ｎ）に選択的に接続することで、２００Ｖ又は１００Ｖの電源が供給される。
【００４１】
前記上側の列の分岐開閉器においても同様であり、分岐開閉器のプラグイン端子を、分岐線１１０１ａ（Ｌ１）を共通として、１２０１ａ（Ｌ２）又は１３０１ａ（Ｎ）に選択的に接続することで、２００Ｖ又は１００Ｖの電源が供給される。
【００４２】
（母線絶縁カバーの構造）
次に、母線絶縁カバー７の構造について、図１、図３を用いて説明する。母線絶縁カバー７は、図１に示したように、分岐開閉器２の電源側端子と前記母線１１、１２、１３の前面側を覆うように配設される略平板上に形成された樹脂製のカバーである。キャビネット前面側からの母線への直接的な接触を防止する絶縁板として使用される。
【００４３】
母線絶縁カバー７の所定位置への配設は、絶縁部材に設けられた複数のフック（図示していない）と母線絶縁カバー７に設けられた前記フックとの複数の係合孔（図示していない）とを係合させることにより位置決めを行う。
【００４４】
前記母線絶縁カバー７の略中央部には、後述する分岐開閉器２の電源側端子部に設けられた電源接続端子の位置を切替えるための電源切替操作部の移動軌跡を逃げた開口部７１が形成されており、その数は分岐開閉器の数に応じて適宜形成している。
【００４５】
また、前記開口部７１の略中央部には、前記電源切替操作部の移動を抑制するための、リブ７２が形成されている。該リブ７２は、開口部の１辺から途中まで延出させて形成しているが、前記電源切替操作部の移動軌跡に対して垂直な方向に、開口部７１の中央部を橋渡しするよう対辺まで延出させて形成してもよい。
【００４６】
前記母線絶縁カバー７の左部には、後述する母線側の電圧測定部を前面側から覗くことができるよう円形の開口部７３を形成している。該開口部７３の形状は円形の他矩形でもよい。
【００４７】
（母線の組立構造）
次に，母線の組立構造について，図５乃至図９を用いて説明する。図５は，各極の母線夫々の外形斜視図を示した図である。
【００４８】
前記各極の母線のうち，１１（Ｌ１），１２（Ｌ２）の電圧極の母線は同一形状に形成されている。
【００４９】
Ｌ２の電圧極の母線１２を例として説明すると，Ｌ２の電圧極の母線１２は，該母線の幹となる部分１２０が，前記分岐開閉器２を並設する方向に延出され，両端部には母線と他の電気導体を接続するためのねじ端子を貫通させるための孔が形成されている。
【００５０】
前記幹となる部分１２０には，前記分岐開閉器の分電盤への取付面となる背面から前記操作ハンドルが設けられた前面への方向を高さ方向とした場合に，前記高さ方向に前記幹となる部分と略直角に折曲形成された立上がり部１２１が形成され，該立上がり部１２１から，前記分岐線が，前記幹となる部分１２０と略平行に，互いに反対の方向（接続される分岐開閉器の電源−負荷側方向）に一体に延出されている。
【００５１】
前記分岐線のうち，幹となる部分１２０の方向に延出している分岐線１２０１ａは，図１０における下側の列の分岐開閉器２に共通して接続される分岐線であり，分岐線１２０１ｂは，上側の列の分岐開閉器２により他極の分岐線と選択的に接続される分岐線である。
【００５２】
また，Ｌ１の電圧極の母線１１について説明すると，その外形はＬ２の電圧極の母線１２と同一であり，前記２つの分岐線のうち，幹となる部分１１０の方向に延出している分岐線１１０１ｂは，上側の列の分岐開閉器２に共通して接続される分岐線であり，分岐線１１０１ａは，下側の列の分岐開閉器２により他極の分岐線と選択的に接続される分岐線である。
【００５３】
前記各極の母線のうち，中性極の母線１３について説明すると，該中性極の母線１３の幹となる部分１３０が，前記電圧極の母線と同様に分岐開閉器２を並設する方向に延出され，両端部には母線と他の電気導体を接続するためのねじ孔が形成されている。
【００５４】
また，中性極の母線１３の両端部は段差を形成するよう折曲げ形成されて，前記絶縁部材５に各極の母線を取付けた場合に，該幹となる部分１３０が前記電圧極の母線１１，１２よりも前記高さ方向において高くなるよう配設される。
【００５５】
また，中性極の母線１３の幹となる部分１３０から，複数の分岐線１３０１ａ，１３０１ｂが，前記幹となる部分１３０と略平行に，互いに反対の方向（接続される分岐開閉器の電源−負荷側方向）に一体に延出されている。これら分岐線１３０１ａ，１３０１ｂは，何れも分岐開閉器２に選択的に接続される分岐線である。
【００５６】
また，後述するが，各極の３つの母線を組み合わせた場合における分岐線の位置関係を補足すると、次のように構成されている。
【００５７】
上側の列の分岐開閉器を例とすると、Ｌ１の電圧極の母線１１における分岐線と，Ｌ２の電圧極の母線１２における分岐線と、Ｎ極の母線１３における分岐線との内，分岐開閉器２と選択的に接続される分岐線１２０１ｂと１３０１ｂとの位置関係は，分岐開閉器の並設方向において，各々の分岐線１２０１ｂと１３０１ｂとが交互に，夫々の分岐線の中間に位置するように配設される。そして，各々の分岐線１２０１ｂと１３０１ｂは，前記前面視において、他方の電圧極の母線の幹となる部分まで突出し，前記前面側からの平面視において，分岐開閉器に共通に接続される分岐線１０３１ａ，１２０１ｂと略同じ長さに形成されている。
【００５８】
次に，中性極の母線１３における分岐線１３０１ａと１３０１ｂとは，分岐開閉器の並設方向において，前記分岐線１２０１ｂ，１１０１ａと同じ位置に配設され，前記前面側からの平面視において，分岐線１１０１ａ，１２０１ｂと略同じ長さに形成されている。なお，中性極の母線１３の幹となる部分１３０は，電圧極の母線１１，１２よりも前記高さ方向において高くなるように配設されているため互いに干渉しない。
【００５９】
即ち，図１０における上側の列並びに下側の列の何れの側においても，分岐線のうち分岐開閉器２に選択的に接続される分岐線１１０１ａと１３０１ａ，並びに１１０１ｂと１３０１ｂは前記前面側からの平面視において，互いに重ならないように配設されている。
【００６０】
また，前記分岐線１１０１ａと１３０１ａ，並びに１１０１ｂと１３０１ｂは夫々の高さを同一に設けて配設されている。また、前記一つの組となる分岐線を、分岐開閉器を差し込む方向から見た場合、上側の列においても、下側の列においても、常に右側に位置する分岐線がＮ極の分岐線となっており、視覚的に統一性がとれる構造となっている。
【００６１】
次に，内部ユニット１００の組み立てについて図６乃至図９を用いて説明を行う。
まず，図６において，前記絶縁部材５にＬ１の電圧極の母線１１，Ｌ２の電圧極の母線１２を取付ける。絶縁部材５は，夫々母線を絶縁できるよう樹脂材料にて形成され，分岐回路数に応じて，母線の幹となる部分の長さに合わせて種々の大きさのものが用意される。
【００６２】
絶縁部材５には，母線の配置が一義的に行われるよう，予め母線の両端部に設けられるねじ端子に対応するナットを嵌め込む凹み部５１１、５１２，５１３が母線取付台５の本体の両端部に設けられ，また，夫々の電圧極における前記立上がり部１１１，１２１に対応する凸部５１４，前記分岐線１１０１，１２０１を互いに絶縁する絶縁壁Ａ５１５，後述する絶縁壁６並びに中性極の母線１３をねじ止め固定するためのねじ止め穴５１６が設けられている。
【００６３】
次に，絶縁壁６に中性極の母線１３を取付ける。絶縁壁６には，中性極の母線１３の取付けが一義的に行われるよう，中性極の母線１３における分岐線１３０１ａ，１３０１ｂを避けて，中性極の母線本体を嵌めこむ嵌め込み部６１１が形成されている。また，絶縁壁６には，中性極の母線１３の分岐線１３０１ａ，１３０１ｂの一部を覆う壁部６１２と，電圧極の母線における分岐線１１０１ａ，１２０１ａを避けた窪み部６１３とが設けられており，中性極の母線と，電圧極の母線との絶縁が保たれるよう構成されている。
【００６４】
次に，中性極の母線１３を取付けた絶縁壁６を，前記電圧極の母線を取付けた絶縁部材５に取付ける。このとき，中性極の母線１３を取付けた絶縁壁６を，前記電圧極の母線を取付けた絶縁部材５に前記高さ方向における上部から，前記窪み部５１３が概ね夫々の電圧極の母線の分岐線と重なるように落とし込むことで位置決めができる。そして，前記中性極の母線に設けられたねじ止め固定するための穴１３０にねじを差込み，絶縁部材５に設けられたねじ止め穴５１６にねじを締め込むことで取付が完了する。
【００６５】
Ｌ１，Ｌ２の２つの電圧極の母線と，中性極の母線は、夫々絶縁壁６並びに絶縁壁Ａ５１５により互いに絶縁され，電気安全が保たれる。
【００６６】
次に，各極の母線並びに絶縁壁６を取付けた絶縁部材５を，分岐開閉器の取付板３にねじ止め固定することにより取付ける。取付けは，該絶縁部材５の背面側に設けられたねじ止め用穴と分岐開閉器の取付板３に設けられたねじ止め用穴の位置を合わせて背面側からねじ締めすることにより取付けられる。
【００６７】
（母線側電圧測定部の構造）
次に、母線側電圧測定の構造について説明を行う。図１０において、母線１１及び１２の一端部には母線側電圧測定部３１、３２が夫々設けられる。母線側電圧測定部３１、３２は、住宅用分電盤の前面側から電圧測定用のテストリードを当接可能なよう、テストリードの当接部３１０１、３２０１を前面側に向けるよう、折り曲げ加工された金具で形成されており、その取付部は母線にねじ２１、２２にてねじ止め固定される。
【００６８】
テストリード当接部３１０１、３２０１は、テストリードを当接させる際に、住宅用分電盤の前面側から当接させやすいよう、住宅用分電盤の前面側から臨んで一部が幅広面状に形成される。また、テストリードを当接させたまま保持可能とするテストリード脱落防止手段を備える。
【００６９】
テストリード脱落防止手段は、テストリード当接部３１０１、３２０１にテストリードの棒端子を貫通可能に設けた孔部３１０１ａ、３２０１ａを設けて、前記テストリード当接部の背面と母線との角度を鋭角に設けることで構成している。前記テストリード当接部の背面と母線との成す角度は、テストリードの棒端子を前記孔部３１０１ａ、３２０１ａに差し込んだ時にテストリードが住宅用分電盤の前面側に滑り落ちてしまわないよう、好ましくは、約３０度〜約６０度程度に形成するとよい。
【００７０】
言い換えると、テストリードの棒端子を前記孔部に差し込んで手を放した場合に、棒端子側から住宅用分電盤を見下ろした場合の俯角が鋭角になるよう構成し、より好ましくは該俯角が約３０度〜約６０度程度となるよう、一般的なテストリードの棒端子の直径（約２ｍｍ）に対してテストリード脱落防止手段の孔の直径を約３．４ｍｍ程度に形成するとよい。
【００７１】
（分岐開閉器側電圧測定部の構造）
次に、図１１、図１２を用いて、分岐開閉器側電圧測定部の構造について説明を行う。図１１は、図１における下側の列の分岐開閉器を電源側端子の側からみた図である。
【００７２】
本住宅用分電盤に適用される分岐開閉器２は、図１１に示すように、該分岐開閉器２を併設する方向を幅方向としたときに、該幅方向に分割するケース２０ａ及び２０ｂを重ね合わせて構成される略箱体形状の器体を有する。
【００７３】
そして、該器体には、母線Ｌ１又はＮと選択的に接続されるプラグイン端子が備えられた電源側端子部２２Ｂと、母線Ｌ２と接続されるプラグイン端子が備えられた電源側端子２２Ａと、分岐開閉器２の負荷側に電源を供給するための各極の導体と接続される速結端子を用いて構成された負荷側端子部２３とが設けられ、これら電源側端子部２２Ａ、２２Ｂと、負荷側端子部２３との間を電気的に接続する各極の主導体と、該各極の主導体に介在し、電源側と負荷側を電気的に入切接続する固定接点と、該固定接点と各々接離自在に対向する可動接点を固着した可動接触子と、これら可動接触子を開閉駆動する開閉機構と、該開閉機構とリンクにより接続され器体の外部から開閉機構を操作して、電路を入切操作する第一の操作部となる操作ハンドル２４とが配設されている。
【００７４】
前記第一の操作部となる操作ハンドル２４が設けられた面を器体の前面ａとした場合、該前面には、該前面ａ側から前記電源側端子部２２Ｂを臨む連通孔２１が設けられている。該連通孔２１は、電源端子部２２Ｂが前記分岐線Ｎ又はＬ１と接続される夫々の位置において、２箇所に設けられている。
【００７５】
次に、電源側端子部２２Ａ、２２Ｂについて説明を行う。前記電源側端子部２２Ａ、２２Ｂは、前記前面ａに対して、分電盤への取付面となる面を背面ｂとし、該前面ａと該背面ｂとに相隣り合う面を側面ｃとしたときに、器体の長手方向における側面ｃの一端に、ケース２０ａ、２０ｂの間に挟み込まれるように設けられている。
【００７６】
電源側端子部のうち、２２Ａは器体に固定されて配設される端子部（固定端子部という）で、下側の列に配設される場合にはＬ２の分岐線に接続され、２２Ｂは前記分岐線Ｌ１又はＮを選択的に接続するため器体内を前記幅方向において、一方の側面寄りと、他方の側面寄りの２箇所の間で連続的に往復移動が行えるよう、器体の側面に設けた窪み部分に配設される端子部（選択端子部という）である。
【００７７】
なお、図１において、上側の列の分岐開閉器と接続される分岐線の配置は、下側の列における母線Ｌ２に相当する場所には母線Ｌ１の分岐線が設けられ、下側の列における母線Ｎ、Ｌ１に相当する場所には母線Ｎ、Ｌ２の分岐線が設けられる配置となっており、上側の列に配設される分岐開閉器においては、前記固定端子部は母線Ｌ１の分岐線に接続され、前記選択端子部は母線Ｎ又はＬ２の分岐線と選択的に接続される。
【００７８】
（選択端子部の構造）
分岐開閉器２の器体の電源側には、前記固定されて配設される固定端子部２２Ａの位置、並びに移動可能に設けられる選択端子部２２Ｂのそれぞれの位置に対応するよう、分電盤内に予め３本の母線Ｌ１、Ｌ２、Ｎの接続部が配置されている。図９の場合、前記固定端子部２２Ａは分岐線Ｌ２と接続され、前記選択端子部２２Ｂは、図９の位置の場合は分岐線Ｎと接続され、他方の位置の場合は母線Ｌ１と接続される。
【００７９】
選択端子部２２Ｂが母線Ｌ１と接続される場合には、分岐開閉器２には２００Ｖの電圧が印加され、選択端子部２２Ｂが分岐線Ｎと接続される場合には、分岐開閉器２には１００Ｖの電圧が印加される。
【００８０】
図１２には、前記選択端子部２２Ｂと、該選択端子部２２Ｂに収納される刃受２２Ｂ３を示している。前記固定端子部２２Ａ並びに選択端子部２２Ｂは、その内部に、母線と接続するための端子として、断面が略徳利状の略コの字状の先部を絞った形状に成形された刃受であるプラグイン端子２２Ｂ３を収納している。該刃受２２Ｂ３は前記絞った形状の部分で母線の分岐線を挟み込み、負荷側に電源を供給する。
【００８１】
選択端子部２２Ｂは、その外郭が刃受２２Ｂ３とは電気的に接続されていない非充電部として構成されている。外郭の前面側には、前記器体に設けられた連通孔２１に対応した孔２２Ｂ４が設けられている。選択端子部２２Ｂを、器体の幅方向において、一方の側面寄りと、他方の側面寄りの、それぞれの接続位置に移動させた場合には、片方の連通孔２１と孔２２Ｂ４とが、それぞれつながり、分岐開閉器の前面側からテストリードの棒端子を差し込み可能となる。
【００８２】
母線絶縁カバー７における開口部７１は、前記連通孔２１を前面側に露出させるように形成されている。このため、電圧測定の際にテストリードを連通孔２１に差し込む場合には、妨げにならない。
【００８３】
（選択端子部の動作構造について）
選択端子部２２Ｂを器体の幅方向に往復移動させる第二の操作部２５について、図１２、図１３を用いて説明を行う。
【００８４】
まず、選択端子部２２Ｂの前面ａ側には、複数の歯を設けたラック２２Ｂ１を形成しており、第二の操作部２５の操作を後述する移動方向反転手段を介して選択端子部２２Ｂに伝達する役割を果たす。また、外郭の背面側には、幅方向に長形状のリブ２２Ｂ２が設けられており、このリブ２２Ｂ２が、器体側に設けられた溝部２１ｃと嵌め合わされることにより、選択端子部２２Ｂが幅方向に往復移動する際のガイド部として働く。
【００８５】
前記器体の前面側には、前記選択端子部２２Ｂの器体の幅方向に往復移動させるための第二の操作部２５が設けられている。該第二の操作部２５は、器体の幅方向における長さの略半分の大きさに形成された長四角形状のベースと、該ベースの前面側に設けられた把持部２５ａと、ベースの背面側に設けられた複数の歯を設けたラック２５ｂとを備えている。ラック２５ｂは、ベースに形成した長形状のリブ２５ｂ１の端部に、該リブ２５ｂ１よりも幅広状に形成されており、第二の操作部２５を器体に設けられた開口部２１ｂ３に嵌め込み取付けた際に、幅方向に移動させるためのガイド部として働くとともに、前面側への抜止めとして働く。
【００８６】
前記第二の操作部２５は、器体の幅方向の移動に際し、器体における一方の側面寄りと、他方の側面寄りの２箇所の間で連続的に往復移動を行う。そして、それぞれの一方の側面寄りの位置、及び他方の側面寄りの位置において、前記ベースにより、該ベースの背面となる部分に位置する連通孔２１、即ち、選択端子部２２Ｂが位置しない側における器体の前面ａ側に設けられた連通孔２１を隠蔽する。
【００８７】
このため、器体の前面側からは、選択端子部２２Ｂが位置しない側の連通孔は視認できず、選択端子部２２Ｂが位置する側の連通孔が視認可能となる。
【００８８】
このため、回路遮断器への供給電圧がいくらであるのか確認する場合には、器体の前面側にて視認可能な側の連通孔２１に前記テストリードの棒端子を差込むことにより行え、不用な側の連通孔２１は隠蔽されるため誤った連通孔に前記棒端子を差込むことを防ぐことができる。
【００８９】
また、前記ベースの背面側で、分岐開閉器２の器体の前面側には、器体の幅方向に亘って、選択端子部２２Ｂの分岐線との接続位置に応じて分岐開閉器２に供給される電圧値を表示する電圧表示部２７が設けられている。
【００９０】
器体の幅方向に対して、略中央から一方の側面寄りには第一の供給電圧である１００Ｖの文字が表示され、略中央から他方の側面寄りには第二の供給電圧である２００Ｖの文字が表示される。前述した不用な連通孔が隠蔽されるのと同様、前記ベースの背面となる部分に位置する電圧表示部２７は、該ベースに隠蔽されて前面側からは視認できず、ベースに隠蔽されない部分に位置する電圧表示部は前面側から視認可能となる。このため、分岐開閉器への予定される供給電圧が、選択端子部２２Ｂの夫々の位置において、予め的確に表示できる。
【００９１】
母線絶縁カバー７の開口部７１は、これら連通孔２１及び電圧表示部が前面側に露出するように形成されているから、電圧測定時のテストリードの差し込み操作や、電圧表示部の視認を妨げない。そして、選択端子部が位置しない側の連通孔がベースにより隠蔽される作用と相まって、分岐開閉器に供給される予定の電圧値の把握や実際の電圧測定確認作業が分岐開閉器の前面側から電気安全を保った状態で行いやすく、作業性に優れた母線絶縁カバーの構造を提供することができる。
【００９２】
次に、第二の操作部２５と選択端子部２２Ｂとを連動させる前述の移動方向反転手段について図１４、図１５、図１６を用いて説明を行う。
【００９３】
移動方向反転手段は、前記第二の操作部２５を移動させる方向とは反対方向に選択端子部２２Ｂを移動させるものである。即ち、図１６において、前記第二の操作部２５を（ａ）の位置から（ｃ）の位置に移動させる場合には、選択端子部２２Ｂは第二の操作部とは反対方向に移動する。本実施形態では、前記移動方向反転手段として、ピニオン２６を用いた例について説明を行う。
【００９４】
該ピニオン２６は、軸２６ａの周囲に複数の歯を設けて形成されている。該歯は、前記第二の操作部２５に設けられたラック２５ｂ、並びに前記選択端子部２２Ｂに設けられたラック２２Ｂ１と噛み合うように、記第二の操作部２５に設けられたラック２５ｂと前記選択端子部２２Ｂに設けられたラック２２Ｂ１との間に位置するよう配設される。前記ピニオン２６は、回路遮断器の器体の前面寄りに、該器体の一部を凹ませて形成した軸受部２１ｄに軸２６ａが枢支されて配設される。
【００９５】
図１５に、これら第二の操作部２５とピニオン２６と選択端子部２２Ｂとの器体への配置状態を一部断面にて示した。第二の操作部２５と選択端子部２２ｂとの間にピニオン２６が配置され、それぞれのラック２５ｂ、２２Ｂ１と、器体により軸２６ａを回動自在に枢支されたピニオンの歯が噛み合う。
【００９６】
次に、第二の操作部２５を操作して、選択端子部２２Ｂの位置を移動する場合について一部を断面にて示した図１５、図１６を用いて説明を行う。
【００９７】
例として、図１６（ａ）、（ｂ）は、固定端子部２２Ａには母線Ｌ２が接続され、選択端子部２２Ｂには母線Ｎと接続される場合を示し、図１６（ｃ）（ｄ）は、固定端子部２２Ａには母線Ｌ２が接続され、選択端子部２２Ｂには母線Ｌ１と接続される場合を示す。
【００９８】
まず、図１６（ａ）、（ｂ）は、固定端子部２２Ａには母線Ｌ２が接続され、選択端子部２２Ｂには母線Ｎと接続される場合であるから、回路遮断器に供給される電圧値は１００Ｖとなる。選択端子部２２Ｂの位置する前面側においては、選択端子部２２Ｂが位置しない側の連通孔２１ａ４並びに電圧表示部２７の一部は第二の操作部２５のベースにより隠蔽され、選択端子部２２Ｂが位置する側の連通孔２１ｂ４並びに電圧表示部２７の一部が現れている。この場合の電圧表示部２７は１００Ｖの文字が表示される。
【００９９】
次に、この状態から、図中において第二の操作部２５を初期位置から他方の側面側にスライド移動させ始めると、該第二の操作部２５の背面側に設けられたラック２５ｂとピニオン２６の歯の噛み合いにより、ピニオンは図中において反時計回りに回転を始める。同時に、ピニオン２６の歯と噛み合っている選択端子部２２Ｂの前面側に設けられたラック２２Ｂ１には力が伝達され、前記第二の操作部２５をスライド移動させる方向とは反対の方向に移動を始める。ラックとピニオンの歯は１対１で対応しているため、第二の操作部２５の移動量と選択端子部２２Ｂの移動量は同じであり、第二の操作部２５を他方の側面側に移動させ終えた場合には、選択端子部２２Ｂも初期位置から他方の側面側に移動し終える（図１６（ｃ）、（ｄ））。
【０１００】
この状態では、固定端子部２２Ａには母線Ｌ２が接続され、選択端子部２２Ｂには母線Ｌ１と接続される場合であるから、回路遮断器に供給される電圧値は２００Ｖとなる。選択端子部２２Ｂの位置する前面側においては、選択端子部２２Ｂが位置しない側の連通孔２１ｂ４並びに電圧表示部２７の一部は第二の操作部２５のベースにより隠蔽され、選択端子部２２Ｂが位置する側の連通孔２１ａ４並びに電圧表示部２７の一部が現れている。この場合の電圧表示部２７は２００Ｖの文字が表示される。
【０１０１】
このように第二の操作部２５をスライド移動させる方向とは反対の方向に選択端子部２２Ｂを移動させるよう構成しているから、選択端子部２２Ｂを母線と接続する位置において、常にその前面側に、分岐開閉器に供給される予定の電圧値の表示と、選択端子部２２Ｂが位置する側の連通孔が露出される。
【０１０２】
選択端子部が位置しない側に設けられて、分岐開閉器に供給される予定の電圧値の表示部と、連通孔は前記第二の操作部２５のベースの背面側に位置して隠蔽されるよう構成しているから、器体の前面側から端子部を臨んだ場合には、プラグイン端子の位置と器体の前面に露出する連通孔と電圧表示部とが連携することにより、分岐開閉器と母線とを選択的に接続する前や、分岐開閉器と母線を接続した後であっても、視覚的に、どの分岐開閉器がどの分岐線を選択して接続されているか、又、供給される予定の電圧値を、負荷回路に実際に供給する前に把握でき、電圧の測定作業を直接的になおかつ容易に行いやすい。
【０１０３】
また、器体の端子部における前面側の、第二の操作部に隠蔽されない略全面を電圧表示部として用いることができるため、供給が予定される電圧値を大きく表示することができ、視認性がよくなり、高所、狭い場所などで作業をする者にとって電圧測定作業の誤りを生じさせにくく、電圧測定作業性が高い構造を提供することができる。
【０１０４】
なお、選択端子部の刃受と分岐開閉器の内部の主導体とはより線を用いて接続されており、前記幅方向に連続的に移動するときの妨げにならないよう、移動量分の余裕を持たせた長さとしている。
【０１０５】
また、前記電圧表示部における電圧の表示は、文字による表示の他、器体の幅方向における略中央部を境に色分けを行ったり、その他接続する母線（分岐線）の種類を記載することにより行ってもよい。色分けは、給電される電圧を識別するために赤と白、赤と黒というように、各々で色相を違えたり、また、明度、彩度を違えて構成するとよい。また、母線の種類をＬ１、Ｎというように文字で表示したり、記号を用いて表示し、色分けと文字と記号による表示を組み合わせて行ってもよい。
【０１０６】
また、図１６の２８で示したように、器体の電源側端子部の前面側に、第二の操作部２５を幅方向に移動させる場合に、該第二の操作部２５の背面側と当接し、弾性的に乗り越え可能な程度に凸部２８を設けて構成してもよい。これにより、第二の操作部２５を一方の位置から他方の位置に移動させるときに、前記凸部２８を乗り越えることにより適度なクリック感が得られ、作業者は、視覚的及び触覚的に選択端子部２２Ｂを切替えたことを認識することができる。
【０１０７】
（供給電源電圧の測定作業について）
分岐開閉器２に供給される電源電圧を測定する場合には、分岐開閉器２を母線に接続した後において、前記操作ハンドル２４をオフにした状態で、母線絶縁カバー７を所定位置に取付けた状態のままで、電圧測定器のテストリードの棒端子の一方を、器体の前面ａ側から選択端子部２２Ｂが位置する側の連通孔２１に差込み、該選択端子部２２Ｂに内包した刃受であるプラグイン端子２２Ｂ３又は該プラグイン端子が接続される分岐線と当接させ、前記テストリードの他方の棒端子を、前記母線側電圧測定部に当接させることで、分岐開閉器の負荷側には電源を供給させずに、分岐開閉器に供給される電圧を測定する。
【０１０８】
このとき、母線側電圧測定部には、テストリード脱落防止手段を備えているから、テストリードから手を離しても該テストリードは母線側電圧測定部から脱落せず、作業性良く電圧測定作業を行うことが可能となる。
【０１０９】
上側の列の分岐開閉器に対して電源電圧の測定作業を行うときには、母線側電圧測定部３１を利用し、一方のテストリードの棒端子を該母線側電圧測定部３１に保持させて、他方の棒端子を分岐開閉器側電圧測定部２０４、２０３、２０２、２０１に順々に当接させていき、続いて、下側の列の分岐開閉器に対して電圧の測定作業を行うときには、前記母線側電圧測定部３１に保持させた棒端子を取り外して、母線側電圧測定部３２に保持させたうえで、他方の棒端子を分岐開閉器側電圧測定部２０８、２０７、２０６、２０５に順々に当接させていき、電圧の測定作業を行うとよい。
【０１１０】
仮に、分岐開閉器に供給される電源電圧が異なっていた場合には、分岐開閉器を母線から一旦取り外したうえで、選択端子部２２Ｂの位置を切り替えて、再度所定位置に取り付ける。この際、作業者が、誤って分岐開閉器を母線に取付けたままで選択端子部の位置を切り替えようとしても、前記抑制部７２により、電源切替手段を操作する操作部２５の動きは抑制されるから、操作部２５や電源側端子２２Ｂの損壊が未然に防止できる。また、操作部２５の操作を、分岐開閉器２を母線に取付けたままで行ってはいけないということが、作業者は視覚的に認識できるから、物理的な抑制に加えて二重に電気安全を確保でき、なおかつ作業性よく電圧を確認できる。
【０１１１】
このように、分岐開閉器に供給される電源電圧がいくらであるのかを測定する場合には、まずはハンドル２４をオフ側に操作したうえで、母線絶縁カバー７を取り付けたままで、器体の前面側に露出している連通孔に対して、電圧測定装置のテストリードの棒端子を差込む、即ち、前記テストリードの棒端子の一方を、母線側電圧測定部のテストリード脱落防止手段に保持させ、テストリードの棒端子の他方を、器体の前面ａ側からみて露出している側の連通孔に差込むことにより該選択端子部２２Ｂに内包したプラグイン端子２２Ｂ３又は該端子２２Ｂ３に接続される分岐線と当接させて、分岐開閉器の負荷側には電源を供給させずに、分岐開閉器に供給される電圧を測定でき、電圧測定にあたり必要のない連通孔は前面側には露出しないから、作業者は、露出している連通孔に対しテストリード測定を行えばよい。
【０１１２】
このため、電源電圧測定の誤りを起こしにくく、また、電圧表示部２７により、供給される予定の電圧値が表示されるから、前記電圧測定装置による測定結果と、電圧表示が異なっていた場合には、何らかの異常が発生していることが容易に認識でき、早期に異常の解決に向けて取り組むことができる。また、本実施形態においては、個々の回路遮断器毎に電圧測定に加えて、上側の母線側電圧測定部と下側の分岐開閉器側電圧測定部の間の絶縁測定や、下側の母線側電圧測定部と上側の分岐開閉器側電圧測定部の間の絶縁測定の、相間の絶縁測定を行うこともでき、電気的な異常を解決するための一助になる。
【０１１３】
（第二の実施形態）
第二の実施形態に係る母線絶縁カバーについて図１７、図１８を用いて説明する。第一の実施形態との違いは、母線側には電圧測定部を設けず、分岐開閉器側だけで電圧測定を行う構成にしている点である。即ち、第二の実施形態における母線絶縁カバー７においては、第一の実施形態の母線絶縁カバーに形成した母線側電圧測定部３１、３２に対応する開口部７３に代えて、各々の分岐開閉器に設けられた固定端子部１０２Ａに内包される刃受に対応する開口部７４を形成している。分岐開閉器においては、その前面側に、選択端子部１０２Ｂに応じた連通孔の他に、固定端子部１０２Ａに内包される刃受に対応する連通孔１０１ａｂ４を設けて構成している。
【０１１４】
この分岐開閉器においては、前記固定端子部１０２Ａに内包される刃受に、器体の前面方向に延出させた導体１０２Ａ１を接続し、該導体１０２Ａ１に接触可能な孔部を器体の前面側に設けて連通孔１０１ａｂ４を形成している。前記導体１０２Ａ１の端部はＬ字状に折曲形成しており、該折曲形成した部分１０２Ａ１ａは、器体のリブに嵌合するよう配置している。前記連通孔１０１ａｂ４から電圧測定テスタの測定ピンを差込んだ場合に、押圧する力を該Ｌ字状の部分で受止している。
【０１１５】
本実施形態の分岐開閉器２においては、図１９（ａ）、（ｂ）に示したように、選択端子部１０２Ｂの位置に応じて、第二の操作部１０５により、選択端子部１０２Ｂが位置しない側の連通孔（（ａ）においては１０１ａ４、（ｂ）においては１０１ｂ４）が隠蔽され、常に選択端子部１０２Ｂが位置する側の連通孔が前面側に露出する。
【０１１６】
母線絶縁カバー７においては、前記選択端子部１０２Ｂが位置する側の連通孔１０１ａ４又は１０１ｂ４を前面側に露出させる開口部７１に加えて、前記連通孔１０１ａｂ４に対応する位置に開口部７４を切欠形成している。このため、該母線絶縁カバー７を所定位置に取付けた状態において、前記連通孔１０１ａ４又は１０１ｂ４、連通孔１０１ａｂ４のそれぞれが前面側に露出する。
【０１１７】
回路遮断器１に供給される電圧がいくらであるのかを測定する場合には、まずはハンドル１０４をオフ側に操作したうえで、器体の前面側に露出している連通孔に対して、電圧測定テスタの測定ピンを差込む、即ち、電圧測定テスタの測定ピンの一方を、器体の前面ａ側から選択端子部１０２Ｂが位置する側の連通孔（１０１ｂ４もしくは１０１ａ４）に差込み、該選択端子部１０２Ｂに内包した端子１０２Ｂ３又は該端子１０２Ｂ３に接続される母線と接触させ、前記測定ピンの他方を、連通孔１０１ａｂ４に差込み、前記固定端子部１０２Ａから延出される導体１０２Ａ１に接触させることで、回路遮断器の負荷側には電源を供給させずに、前記供給される電圧を測定できる。
【０１１８】
第一の実施形態と同様に、仮に、分岐開閉器に供給される電源電圧が異なっていた場合には、分岐開閉器を母線から一旦取り外したうえで、選択端子部１０２Ｂの位置を切り替えて、再度所定位置に取り付ける。この際、作業者が、誤って分岐開閉器を母線に取付けたままで選択端子部の位置を切り替えようとしても、前記抑制部７２により、電源切替手段を操作する操作部１０５の動きは抑制されるから、操作部１０５や電源側端子１０２Ａの損壊が未然に防止できる。また、操作部１０５の操作を、分岐開閉器２を母線に取付けたままで行ってはいけないということが、作業者は視覚的に認識できるから、物理的な抑制に加えて二重に電気安全を確保でき、なおかつ作業性よく電圧を確認できるメリットがある。
【０１１９】
（第三の実施形態）
第三の実施形態に係る母線絶縁カバーについて図２５乃至図２７を用いて説明する。第一の実施形態との違いは、母線絶縁カバー７における開口部７１の部分を、分岐開閉器２における電圧表示部の電圧表示を確認するための第一の開口部７５と、該分岐開閉器２における電源電圧測定部にテストリードを挿通させ電圧測定作業を行うための第二の開口部７６ａ、７６ｂを分離させて夫々設けて構成した点である。
【０１２０】
第一の開口部７５、第二の開口部７６ａ、７６ｂは、共に前記分岐開閉器２に設けられた電圧切替手段を操作する第二の操作部２５近傍に設けられるが、
第一の開口部７５は、前記分岐開閉器２の電圧表示部２７の前面側に設けられ、第二の開口部７６ａ、７６ｂは、前記分岐開閉器の電源電圧測定部となる連通孔２１の前面側に設けられる。
【０１２１】
第一の開口部７５は、前記分岐開閉器２の第二の操作部２５が器体の幅方向に往復移動することにより、一方の側面寄りの位置、他方の側面寄りの位置において夫々表示される電圧表示部２７を前面側に露出させるよう、前記器体の略幅寸法程度で前記電圧表示部を確認し得る程度の孔部を設けて構成されている。
【０１２２】
第二の開口部７６ａ、７６ｂは、前記分岐開閉器２の第二操作部２５の一方の側面寄りの位置、他方の側面寄りの位置において夫々取り得る前記電源接続端子の第一の位置及び第二の位置に応じて択一されて前面側に露出される第一及び第二の電源電圧測定部となる連通孔２１ｂ４、２１ａ４の夫々の前面側に設けて構成されている。前記連通孔のうち一方の連通孔は、前記第二の操作部２５により隠蔽されることとなるから、連通孔の前面側に配置されている前記第二の開口部のうち一方の開口部も、前記第二の操作部２５により前面側から隠蔽されて、電圧測定を行うべき電圧測定部のみが前面側に露出するものとなる。
【０１２３】
供給電源電圧の測定作業手順については、第一の実施形態における測定作業と同様であるが、電圧表示を確認するための第一の開口部７５と、電圧測定作業を行うための第二の開口部７６ａ、７６ｂとを分離させて夫々設けているため、作業者にとって電圧表示と電圧測定作業で使用する開口部を区別しやすくなり、また、作業者が電圧測定のための測定部を明示的に確認しやすくなり、供給電圧の確認、測定を作業性よく行うことができる。
【０１２４】
（分岐開閉器の取付について）
次に，分岐開閉器の母線への取付け方法について補足しておく。
【０１２５】
分岐開閉器は、前記分岐線が延出する方向から取付けていく。図１５において，分岐開閉器２の取付けの際は，分岐開閉器の電源側端子２２Ｂと，前記分岐線とが対向するように，前記分岐開閉器取付板３に載置し，分岐線の方向に押圧してスライドさせていき、分岐線に対して電源側端子部２２Ｂを押し付けるようにして取付ける。
【０１２６】
前記分岐開閉器２の電源側端子は、一つの共通端子２２Ａと一つの選択端子２２Ｂとの何れもが、ねじ締めの必要なく接続が行えるプラグイン端子で構成しているから，該プラグイン端子が分岐線の方向に押圧されることにより，プラグイン端子が分岐線をくわえ込み，分岐線との接続を完了する。
【０１２７】
一部の分岐開閉器において電圧を切替える場合においては，一旦，母線から分岐開閉器を取り外し，該分岐開閉器の選択端子２２Ｂの位置を他方に移動させた上で，再度母線の方向に押圧して取付け作業を行う。このときには，視覚的に，分岐開閉器における選択端子２２Ｂの位置が変わり，また，該選択端子２２Ｂと接続される前記分岐線の位置関係が変わるが，その変化を容易に把握できるから，作業者は分岐開閉器に供給される予定の電圧値の大きさを明確に把握でき，接続が正しいか否かを視覚的にも容易に判断でき，電圧測定の作業効率が上がるとともに，誤接続等が極力防止されて、負荷機器の電気的故障を未然に防止する効果が期待できる。
【０１２８】
尚、本発明は、上記実施形態に限定されるものではなく、本発明の要旨を逸脱しない範囲で種々の変更が可能である。
【０１２９】
例えば、第一の実施形態において、母線側電圧測定部におけるテストリード脱落防止手段として、単純な丸孔の他、孔をだるま型に形成し、各々の孔の大きさを変えることにより、テストリードの棒端子がより引っ掛かりやすくなるよう構成してもよい。より詳しくは、下側の孔に対して上側の孔を小さく形成し、棒端子が引っ掛かりやすくなるよう構成してもよい。
【０１３０】
あるいは、電線の端子台の接続手段として用いられる銅部材にばねにより対象物を圧接させて導通を得る速結端子構造を本テストリード脱落防止手段として用いて、棒端子の抜き差しをより確実に行うよう構成してもよい。この場合も、棒端子を差し込みやすいように差込口を住宅用分電盤の前面側に向けて設けるとよい。
【０１３１】
また、電圧測定器の本体を住宅用分電盤側に保持させるべく、電圧測定器本体の保持手段を住宅用分電盤に設けて構成してもよい。
【０１３２】
この場合には、住宅用分電盤におけるケースに、前記電圧測定器本体又は測定器本体に設けられる持ち運び用ベルトを引掛け可能なフックを取付けて保持手段を構成したり、電圧測定器本体を収納できるポケット部を住宅用分電盤のケースに取付けて構成してもよい。
【０１３３】
電圧測定器本体の保持手段に電圧測定器を保持させたときには、電圧測定器本体の電圧値読取部（計器、モニタ等）が、作業者から視認しやすいよう、保持角度の調整手段を設けて、作業者の方向に前記電圧値読取部を向けて保持できるよう構成するとなおよい。
【符号の説明】
【０１３４】
１  主開閉器
２  分岐開閉器
３  取付板
４  取付板
５  絶縁部材
６  絶縁壁
７  母線絶縁カバー
１１  母線（Ｌ１）
１２  母線（Ｌ２）
１３  母線（Ｎ）
１００  内部ユニット
１１０１ａ  Ｌ１の分岐線
１２０１ａ  Ｌ２の分岐線
１３０１ａ  Ｎの分岐線
２１  連通孔
２２Ａ  電源側端子
２２Ｂ  電源側端子
２３  負荷側端子
２４  操作ハンドル
２５  操作部
２６  ピニオン
２７  電圧表示部
７１  開口部
７２  抑制部
７３  開口部
７４  開口部
７５  第一の開口部
７６ａ，７６ｂ  第二の開口部
【図１】
2011160648.tif 000003
【図２】
2011160648.tif 000004
【図３】
2011160648.tif 000005
【図４】
2011160648.tif 000006
【図５】
2011160648.tif 000007
【図６】
2011160648.tif 000008
【図７】
2011160648.tif 000009
【図８】
2011160648.tif 000010
【図９】
2011160648.tif 000011
【図１０】
2011160648.tif 000012
【図１１】
2011160648.tif 000013
【図１２】
2011160648.tif 000014
【図１３】
2011160648.tif 000015
【図１４】
2011160648.tif 000016
【図１５】
2011160648.tif 000017
【図１６】
2011160648.tif 000018
【図１７】
2011160648.tif 000019
【図１８】
2011160648.tif 000020
【図１９】
2011160648.tif 000021
【図２０】
2011160648.tif 000022
【図２１】
2011160648.tif 000023
【図２２】
2011160648.tif 000024
【図２３】
2011160648.tif 000025
【図２４】
2011160648.tif 000026
【図２５】
2011160648.tif 000027
【図２６】
2011160648.tif 000028
【図２７】
2011160648.tif 000029